(57)【要約】バタフライ弁は、内部に略円筒状の流路が形成された弁ハウジング（１）と、流路内に回動可能に設けられた円板状の弁体（４）と、弁体（４）からその外部まで延び且つ弁ハウジング（１）に回動可能に支承されたステム（３）と、ステム（３）を回動させるための駆動部（８）とを備え、ステム（３）の回動により流路内で弁体（４）を回動させ、流路の開閉を行う。駆動部（８）を装着するためのトップフランジ（２）が弁ハウジング（１）と一体成形にて設けられており、このトップフランジ（２）には、その外周縁から中心へ向かって延びる複数の切欠部（１２）が形成されている。
2004092625.tif 000002
【特許請求の範囲】
【請求項１】
内部に略円筒状の流路が形成された弁ハウジングと、該流路内に回動可能に設けられた円板状の弁体と、該弁体から前記弁ハウジングの外部まで延び且つ前記弁ハウジングに回動可能に支承されたステムと、前記ステムを回動させるための駆動部とを備え、前記ステムの回動により前記流路内で前記弁体を回動させ、前記流路の開閉を行うバタフライ弁において、
前記駆動部を装着するためのトップフランジが前記弁ハウジングと一体成形にて設けられ、該フランジには、その外周縁から中心へ向かって延びる複数の切欠部が形成されていることを特徴とするバタフライ弁。
【請求項２】
前記流路の内周面と前記弁体の外周縁との間に前記流路の周方向に延びる環状のシートリングが嵌着され、前記ステムが前記シートリングを貫通して延びており、該シートリングが、本体部と、該本体部の軸線方向両端部に形成されたフランジ部とを含み、前記シートリングの前記本体部の外周が前記ステムの軸線方向を長軸とする楕円形状に形成されると共に、前記本体部の内周が円形状に形成されている、請求項１に記載のバタフライ弁。
【請求項３】
前記トップフランジの上面に前記ステムの抜けを防止するためのスペーサーが嵌着される溝が設けられている、請求項１に記載のバタフライ弁。
【請求項４】
前記トップフランジの上面に前記ステムの抜けを防止するためのスペーサーが嵌着される溝が設けられている、請求項２に記載のバタフライ弁。
【発明の詳細な説明】
【技術分野】  本発明は、各種産業における流体輸送配管ラインに使用されるバタフライ弁に関し、さらに、詳しくは、配管端部に使用でき、同一弁ハウジングを用いて手動式から自動式へ又は自動式から手動式への変更が配管された状態においても容易にできる構造を有するバタフライ弁に関する。
【背景技術】  一般に、バタフライ弁は、手動式及び自動式いずれの場合においても駆動部をステムに連結し弁の開閉操作を行っている。この駆動部にはレバー式駆動部やギア式駆動部、アクチュエータ等があり、それら駆動部の取付ボルトのサイズやピッチ円直径は一様ではない。そこで駆動部の取り付け寸法とバタフライ弁のトップフランジの取り付け寸法とが異なる場合には、各々に適合するトップフランジを有した弁ハウジングを準備して目的に応じて使いわけをしたり、トップフランジに後加工を施したり、専用の中間フランジや継手を使用していた。
米国特許第５，５６４，４６１号は、その解決策の一例として、図７に示されているバタフライ弁を提案している。このバタフライ弁では、弁ハウジング３６と自動式駆動部３７との間に、切欠部３８を設けた中間フランジ３９が介挿されている。中間フランジ３９の切欠部３８には、自動式駆動部３７にトップフランジ４０を固定するために、雄ねじ部４１と雌ねじ部４２が設けられたセグメント４３が係合される。連結の際には、自動式駆動部３７にセグメント４３を螺着した状態でセグメント４３に中間フランジ３９を係合し、中間フランジ３９がトップフランジ４０と自動式駆動部３７との間に介挿された状態で、セグメント４３が連結ボルト４４によって螺合される。これにより、セグメント４３の雄ねじ部４１と雌ねじ部４２を変更することで取り付け寸法の異なる複数種の駆動部を弁ハウジング３６に連結することができるものである。
また、実公平４−２４２１８号公報は、図８に示されているバタフライ弁を提案している。このバタフライ弁では、弁ハウジング４５と自動式駆動部４６との間に中間フランジ４７が介挿されている。中間フランジ４７には、自動式駆動部４６と中間フランジ４７を固定するための取付ボルト４８を挿通する孔と、中間フランジ４７とトップフランジ４９を固定する連結ボルト５０を挿通する孔とが設けられている。連結の際には、中間フランジ４７に挿通した取り付けボルト４８を自動式駆動部４６に締着し、中間フランジ４７から挿入した連結ボルト５０を弁ハウジング４５に締着することによって、自動式駆動部４６と弁ハウジング４５とを連結する。これにより、単一の中間フランジ４７で複数種の弁ハウジング４５と駆動部の組合せに対応できる。
上記構造のバタフライ弁を用いれば、駆動部の取り付け寸法とバタフライ弁のトップフランジの取り付け寸法が異なる場合に、各々に適合するトップフランジを有した弁ハウジングを準備して目的に応じて使いわけをしたり、トップフランジに後加工を施したり、専用の中間フランジや継手を使用する必要がなくなる。しかしながら、従来のバタフライ弁においては、依然として、次のような問題がある。
第１に、中間フランジや継手等の部品を使用することは、製品寸法を大きくするだけでなく、生産性の面からコスト高を招き、生産効率も悪化させる。さらに、継手を用いる場合には、駆動部とステムとの芯ズレや、継手と駆動部及びステムとの嵌合不良等が生じ得る。
第２に、配管ラインに装着されているバタフライ弁を手動式から自動式へ又は自動式から手動式へ変更する際に、バタフライ弁を挟持している配管フランジによって駆動部を脱着する変更スペースが制限される場合、トップフランジと駆動部とを固定しているボルトの取り外しが困難となるため、バタフライ弁を配管ラインより取り外さなければならなくなる。
第３に、トップフランジに設けられたボルト穴にボルトを通して駆動部を固定する際に、ボルトが弁ハウジングのラグ部に干渉することを避けるために、弁ハウジングとトップフランジを支承するハウジング首部及びステムの寸法を長くしなければならないので、生産性の面からコスト高を招く。さらに、ハウジング首部が長くなることで、重量の大きい駆動部をバタフライ弁に搭載することによりハウジング首部へ応力が集中し、弁ハウジングの強度に影響を及ぼし得る。また、ステムが長くなることで、バタフライ弁を配管ラインに装着し通水したときに弁体に圧力が掛かった場合、ステムの撓みが大きくなり、ステムの強度にも影響を及ぼし得る。さらに、ハウジング首部及びステムに対する影響は、弁ハウジングの変形等の原因となり、シール性能の低下や開閉時のトルク増大につながる。これは、片側配管すなわち配管ラインの末端で使用する場合に、特に顕著である。
【発明の開示】
本発明の目的は、以上のような従来技術の問題点を解消して、同一弁ハウジングを用いて手動式から自動式へ又は自動式から手動式への変更が配管時においても容易にでき、シール性能の優れた構造を有するバタフライ弁を提供することにある。
本発明によれば、上記目的を達成するために、内部に略円筒状の流路が形成された弁ハウジングと、該流路内に回動可能に設けられた円板状の弁体と、該弁体から前記弁ハウジングの外部まで延び且つ前記弁ハウジングに回動可能に支承されたステムと、前記ステムを回動させるための駆動部とを備え、前記ステムの回動により前記流路内で前記弁体を回動させ、前記流路の開閉を行うバタフライ弁において、前記駆動部を装着するためのトップフランジが前記弁ハウジングと一体成形にて設けられ、該フランジには、その外周縁から中心へ向かって延びる複数の切欠部が形成されているバタフライ弁が提供される。
上記バタフライ弁においては、前記流路の内周面と前記弁体の外周縁との間に前記流路の周方向に延びる環状のシートリングが嵌着され、前記ステムが前記シートリングを貫通して延びており、該シートリングが、本体部と、該本体部の軸線方向両端部に形成されたフランジ部とを含み、前記シートリングの前記本体部の外周が前記ステムの軸線方向を長軸とする楕円形状に形成されると共に、前記本体部の内周が円形状に形成されていることが好ましい。
また、前記トップフランジの上面に前記ステムの抜けを防止するためのスペーサーが嵌着される溝が設けられていることがさらに好ましい。
本発明のバタフライ弁では、駆動部を装着するためのトップフランジに、外周縁から中心に向かって延びる切欠部が形成されているので、駆動部とトップフランジとを連結する連結ボルトの様々なピッチ円直径に対応することが可能となる。さらに、トップフランジの外周縁から切欠部内へ連結ボルトを挿入できるので、弁ハウジングとトップフランジとの間のスペースが制限される場合でも、連結ボルトの取り外しが容易であり、駆動部の脱着も容易に行うことができる。
また、このようなトップフランジが弁ハウジングと一体成形で設けられているので、弁ハウジングと別体の中間フランジや継手等の部品は不要になると共に、駆動部とステムとの芯ズレ等が発生しにくくなる。
流路の内周面と弁体の外周縁との間に設けられた環状のシートリングの本体部に、フランジ部が設けられていれば、流路内におけるシートリングの移動を防止することが可能となる。さらに、シートリングの本体部の外周がステムの軸線方向を長軸とする楕円形状に形成されると共に、本体部の内周が円形状に形成されていれば、略円筒状の流路の内周面にシートリングが取り付けられたとき、シートリングの内周が楕円形状となり、シートリングの内周のうちステムが貫通する部分においてシートリングの内周面と弁体の外周縁との間のシール性能が向上する。
また、トップフランジの上面にスペーサが取り付けられていれば、駆動部を取り外す際にステムが抜け出すことがないので、安全に駆動部の変更を行うことができる。
なお、本発明の材質は、ポリ塩化ビニルやポリプロピレン、あるいは、ポリビニリデンフロライド等のプラスチックや金属であればよく、特に限定されるものではない。
【図面の簡単な説明】  本発明の上記の及び他の特徴と利点は、添付図面を参照した本発明の実施形態の以下の詳細な説明から明らかとなる。
図１は、本発明のバタフライ弁にレバー式駆動部を装着した縦断面図である。
図２は、レバー式駆動部を外した状態の図１のバタフライ弁の平面図である。
図３は、ギヤ式駆動部を装着した図２のバタフライ弁の正面図である
図４は、自動式駆動部を装着した図２のバタフライ弁の正面図である。
図５は、本発明のバタフライ弁に使用されるシートリングの縦断面図である。
図６は、本発明のバタフライ弁に使用されるシートリングの一部切り欠き斜視図である。
図７は、従来例のバタフライ弁と駆動部との連結を示す分解斜視図である。
図８は、従来例のバタフライ弁と駆動部との連結を示す正面図である。
【発明を実施するための最良の形態】  以下、本発明の実施の形態について図面に基づいて説明するが、本発明が本実施態様に限定されないことは言うまでもない。
図１及び図２を参照すると、バタフライ弁は、弁ハウジング１と、ステム３と、弁体４と、シートリング５と、ステム抜け防止用スペーサ６と、ロッキングプレート７とを備える。
弁ハウジング１は、樹脂から形成されており、特に耐薬性に優れているポリ塩化ビニルやポリプロピレン、あるいは、ポリビニリデンフロライドから形成されることが好ましい。弁ハウジング１の内部には略円筒状の流路が形成されており、その外周には配管用ボルトを螺合するためのボルト挿通孔が穿孔されたラグ部９が突設されている。弁ハウジング外周の中央付近には厚肉のフランジ状の基板１０が設けられている。
トップフランジ２は円板状であり、弁ハウジング１の首部１１の上部に一体成形にて設けられており、レバー式駆動部８やギヤ式駆動部１６（図３）、自動式駆動部１８（図４）がそこに装着される。トップフランジ２には、ギヤ式駆動部１６や自動式駆動部１８を連結ボルト１７（図３）にて固定するための４個の切欠部１２がトップフランジ２の中心周りに等しい間隔で形成されている。
これら切欠部１２は、トップフランジ２の上端部から下端部まで貫通しており、トップフランジ２の外周縁から中心に向かって形成され、その内端はステム貫通孔１３に到達することなく終端している。さらに、トップフランジ２の上面の中心部には、ステム抜け防止用のスペーサー６が嵌着されるための溝１４と、レバー式駆動部８を取り付ける際に必要なロッキングプレート７が嵌着されるための溝１５とが、段差を有して設けられている。
ステム３はＳＵＳ製であり、ステム本体部１９と、その上部に設けられ且つステム本体部１９の外径より小さい外径を有したステム縮径部２０とからなる。このステム縮径部２０の上端部は、弁ハウジング１の上部に設けられたトップフランジ２の中央から突出して配置されており、スペーサー６の貫通孔３２及びロッキングプレート７の貫通孔３４を貫通した状態でレバー式駆動部８にボルト（図示せず）で固定されている。また、ステム３の中央部は、弁ハウジング１及びシートリング５に回動可能の状態で密着貫通されている。
弁体４は樹脂製であり、円板形状を有している。弁体４は、弁ハウジング１の内部中央に配置されており、弁ハウジング１の中央を回動可能に貫通したステム３に固定的に取り付けられている。したがって、弁体４はステム３の回動に伴って弁ハウジング１に嵌着されたシートリング５内で回動し、それによって弁体４の外周縁がシートリング５の内周２７に圧接、離間されることにより、弁の開閉を行う。
シートリング５はエラストマの弾性材料から形成されており、図５及び図６に示されているように、中空筒状の本体部２１と、その軸線方向両端部に設けられたフランジ部２２とが一体的に形成されている。筒状の本体部２１には、ステム３が貫通するための一対のステム貫通孔２３が径方向に互いに対向して形成されている。また、本体部２１の外周２４は、２つのステム貫通口２３を結ぶ線を長軸とする楕円形状に形成されている。すなわち、本体部２１の外周２４は、２つのステム貫通孔２３を結ぶ上下方向の厚さが一番大きく、この方向と直交する水平方向の厚さが一番小さくなるように形成されている。
シートリング５の外周２４の軸線方向中央部には断面矩形状の環状突起２５が設けられており、この環状突起２５が弁ハウジング１の内周面に設けられた嵌合用溝に嵌合され、シートリング５の軸線方向への移動を防止するようになっている。本体部２１のステム貫通孔２３の周辺には、ＳＵＳ製のリング２６が嵌着されている。また、弁体４が圧接、離間されるシートリング５の内周２７は平坦な円筒面状に形成されている。さらに、ステム貫通孔２３の周縁部には、弁体４に形状を合わせた球面状のボス部２８が設けられ、弁座のシール性能を高めるようになっている。上記シートリング５の軸線方向両端部に一体的に設けられたフランジ部２２の外周２９は円形状に形成されており、またフランジ部２２の外側端部に内方に突出して設けられた耳部３０は弁ハウジング１の外周面に嵌合して、シートリング５の移動を防止するように作用する。
弁ハウジング１の中央に設けられた開口部３１の内周が円形状である一方で、シートリング５の外周２４は楕円形状であるので、シートリング５を弁ハウジング１に嵌め込んだとき、シートリング５の内周２７で形成される流路はステム貫通口２３を結ぶ方向であるステム軸方向を短軸とする楕円形状になる。したがって、シートリング５のステム貫通口２３付近において残余の部分よりもシートリング５の内周２７と弁体４の外周縁との間が密着し、ステム貫通口２３を通じた弁座漏れが生じにくくなる効果を奏する。一方、ステム貫通口２３付近以外の部分においては、シートリング５の内周２７と弁体４の外周縁との間で適切なシール性能が維持されるので、操作トルクが必要以上に高くなることもない。
ステム抜け防止用スペーサー６は樹脂製であり、略円盤形状を有している。スペーサ６の中心には、ステム縮径部２０の外径より大きく且つステム本体部１９の外径より小さい円形の貫通孔３２が設けられており、貫通孔３２の周辺の同心円上には、トップフランジ２の溝１４に固定するための固定用孔３３が４箇所設けられている。スペーサー６は、トップフランジ２の中央から突出して配置されているステム縮径部２０の上端部に回動可能に貫挿され、ステム本体部１９の上端面を下方に押した状態でトップフランジ２の上端部に設けられた溝１４にねじ等の締結具により固定される。
ロッキングプレート７は樹脂製であり、略円盤形状を有している。ロッキングプレート７の中心には円形の貫通孔３４が設けられ、貫通孔３４の周囲の同心円上にはトップフランジ２への固定用孔（図示せず）が４箇所設けられている。また、ロッキングプレート７の外周縁の一部には弁開度調整用のストッパー部（図示せず）が設けられている。ロッキングプレート７は、その貫通孔３４にステム縮径部２０を貫通させ且つスペーサー６をトップフランジ２とロッキングプレート７との間に挟持した状態で、ロッキングプレート７の固定用孔にねじを貫通させて溝１５のロッキングプレート固定用のねじ孔３５に螺着させることにより、トップフランジ２に固定されている。
次に、本実施態様の動作について説明する。
図１に示されているバタフライ弁が全閉の状態からレバー式駆動部８を９０度回動させると、それに伴いステム３及び弁体４も回動し、バタフライ弁は全開状態となる。弁が全開の状態からレバー式駆動部８を逆方向に９０度回動させると、弁体４の外周縁がシートリング５の内周面２７に圧接され、バタフライ弁は全閉状態になる。
バタフライ弁を配管ラインに装着する際には、弁ハウジング１の両側を配管フランジにて挟持した状態で、配管ボルトをラグ部９に螺合する。ラグ部９には配管ボルトを螺合するための雌ネジ部が設けてあるので、片側配管すなわち配管ラインの末端でも使用することができる。
駆動部を交換する際には、切欠部１２の長さの範囲内で連結ボルト１７をトップフランジ半径方向に移動させることで、連結ボルト１７のピッチ円直径に対応することができる。また、切欠部１２の幅（すなわち、切欠部１２の長さ方向と垂直な方向の寸法）は、駆動部をトップフランジ２と連結する連結ボルト１７の頭部がトップフランジ２の下端部を当接支持するような寸法に設定されており、切欠部１２の幅の範囲内において種々のサイズの連結ボルト１７に対応できる。
連結に際しては、トップフランジ２の中心から突出したステム３を駆動部の嵌合部に嵌挿する。駆動部には連結ボルト１７を挿通するボルト孔が形成されており、トップフランジ２の外周縁から切欠部１２に連結ボルト１７を挿し込み、駆動部のボルト孔の位置に合わせてその位置を調整した後、連結ボルト１７を挿入する。挿入後連結ボルト１７を締め付け、駆動部をトップフランジ２に連結する。
このように、切欠部１２の長さの範囲内において連結ボルト１７は駆動部のピッチ円直径に対応してトップフランジ２の半径方向に移動できると共に、切欠部１２の幅の範囲内において連結ボルト１７のサイズを変更することができる。さらに、切欠部１２がトップフランジ２の外周縁にて外方へ開放されており、連結ボルト１７をトップフランジ２の外周縁から駆動部のボルト孔へ挿入することができるので、弁ハウジング１が配管フランジに挟持され駆動部の変更スペースが制限されている状態でも容易に連結ボルト１７の取り外しができ、使用目的に応じて駆動部を任意のタイプのもの、例えば手動式又は自動式のものに切り換えることができる。
図３はギヤ式駆動部１６を装着した図２に示されているバタフライ弁の正面図である。ギヤ式駆動部１６を装着する際には、ギヤ式駆動部１６のボルト孔の位置がトップフランジ２の切欠部１２と重なるように、トップフランジ２から突出したステム縮径部２０をギヤ式駆動部１６の嵌合部に挿通し、連結ボルト１７をトップフランジ２の切欠部１２に挿入して、ギヤ式駆動部１６のボルト孔に螺合させる。
図４は自動式駆動部１８を装着した図２に示されているバタフライ弁の正面図である。本実施態様が図３に示されている実施態様と異なる点は、ギヤ式駆動部１６の代わりに、自動式駆動部１８が装着されていることである。トップフランジ２の切欠部１２は、自動式駆動部１８のボルト孔のピッチ円半径がギヤ式駆動部１６と異なる場合でも、連結ボルト１７で自動式駆動部１８をトップフランジ２に固定することを可能とさせる。その他の点については図３の場合と同じであるので説明を省略する。
以上説明したように本発明に従って作製されたバタフライ弁によれば、駆動部装着用の切欠部が形成されたトップフランジを弁ハウジングと一体成形することにより、次のような優れた効果が得られる。
（１）取り付け寸法が異なるアクチュエータやギヤ式駆動部を同一弁ハウジングに装着することができ、従来のようにスペーサーや継手といった余計な部品を使用する必要がなく、コンパクト且つ低コストで製品を製造できる。さらに、継手を用いることによる駆動部とステムとの芯ズレや、継手と駆動部及びステムとの嵌合不良等の心配がなくなる。
（２）バタフライ弁が配管ラインに接続された状態で、トップフランジと駆動部を固定している連結ボルトを容易に取り外すことができるため、駆動部脱着の際にバタフライ弁を配管ラインから取り外す必要が無く、使用目的に応じて自由自在に且つ容易にバタフライ弁を手動式から自動式へ又は自動式から手動式へ変更できる。さらに、弁ハウジングのトップフランジにステム抜け防止用のスペーサーが螺着されているため、駆動部を取り外す際にステムが抜け出すことがないので、安全に駆動部の変更が行える。
（３）駆動部をトップフランジに脱着する際に、駆動部を固定するボルトが弁ハウジングのラグ部に干渉せず、本体首部及びステムの寸法を短く設計することができ、低コストで製造できる。また、本体首部及びステムが短くなり、弁ハウジングの強度が向上することから、弁ハウジングの変形等が抑制されシール性能の低下や開閉時のトルク増大といった問題が軽減される。さらに、楕円形状のシートリングを使用することで操作トルクが高くなることがなく、ステム貫通孔付近での弁座漏れが起こりにくくなる。また、ステム軸直交方向付近での弁座漏れ及びステム貫通孔からの内部漏れが起こりにくくなるため、片側配管で使用する場合においても長期にわたって安定して使用できるという優れた効果が得られる。
以上、添付図面に示されている幾つかの本発明の実施形態について説明したが、これら実施形態はもっぱら説明上のものであり、制約的なものではない。本発明の範囲は、請求の範囲によって規定されるのであるから、請求の範囲から逸脱することなく上記実施形態に変更及び修正を加えることが可能である。
参照番号・事項の一覧表
１…弁ハウジング
２…トップフランジ
３…ステム
４…弁体
５…シートリング
６…スペーサー
７…ロッキングプレート
８…レバー式駆動部
９…ラグ部
１０…基板
１１…首部
１２…切欠部
１３…ステム貫通孔
１４…溝
１５…溝
１６…ギヤ式駆動部
１７…連結ボルト
１８…自動式駆動部
１９…ステム本体部
２０…ステム縮径部
２１…本体部
２２…フランジ面
２３…ステム貫通孔
２４…外周
２５…環状突起
２６…リング
２７…内周
２８…ボス部
２９…外周
３０…耳部
３１…開口部
３２…貫通孔
３３…固定用孔
３４…貫通孔
３５…ねじ孔
３６…弁ハウジング
３７…自動式駆動部
３８…切欠部
３９…中間フランジ
４０…トップフランジ
４１…雄ねじ部
４２…雌ねじ部
４３…セグメント
４４…連結ボルト
４５…弁ハウジング
４６…自動式駆動部
４７…中間フランジ
４８…取り付けボルト
４９…トップフランジ
５０…連結ボルト
【図１】
2004092625.tif 000003
【図２】
2004092625.tif 000004
【図３】
2004092625.tif 000005
【図４】
2004092625.tif 000006
【図５】
2004092625.tif 000007
【図６】
2004092625.tif 000008
【図７】
2004092625.tif 000009
【図８】
2004092625.tif 000010
【手続補正書】
【提出日】平成17年2月10日(2005.2.10)
【手続補正００１】
【補正対象書類名】特許請求の範囲
【補正対象項目名】全文
【補正方法】変更
【補正の内容】
【書類名】特許請求の範囲
【請求項１】内部に略円筒状の流路が形成された一体成形の弁ハウジングと、該流路内に回動可能に設けられた円板状の弁体と、該弁体から前記弁ハウジングの外部まで延び且つ前記弁ハウジングに回動可能に支承されたステムと、前記ステムを回動させるための駆動部とを備え、前記ステムの回動により前記流路内で前記弁体を回動させ、前記流路の開閉を行うバタフライ弁において、
前記駆動部を連結ボルトにより装着するためのトップフランジが前記弁ハウジングと一体成形にて設けられ、該トップフランジには複数の切欠部が形成され、該切欠部は、前記連結ボルトが前記切欠部内で前記トップフランジの半径方向に移動できるように、前記トップフランジの外周縁から中心へ向かって延びていることを特徴とするバタフライ弁。
【請求項２】前記流路の内周面と前記弁体の外周縁との間に前記流路の周方向に延びる環状のシートリングが嵌着され、前記ステムが前記シートリングを貫通して延びており、該シートリングが、本体部と、該本体部の軸線方向両端部に形成されたフランジ部とを含み、前記シートリングの前記本体部の外周が前記ステムの軸線方向を長軸とする楕円形状に形成されると共に、前記本体部の内周が円形状に形成されている、請求項１に記載のバタフライ弁。
【請求項３】前記トップフランジの上面に前記ステムの抜けを防止するためのスペーサーが嵌着される溝が設けられている、請求項１に記載のバタフライ弁。
【請求項４】前記トップフランジの上面に前記ステムの抜けを防止するためのスペーサーが嵌着される溝が設けられている、請求項２に記載のバタフライ弁。
【請求項５】前記トップフランジに装着された前記駆動部が手動式駆動部である、請求項１に記載のバタフライ弁。
【請求項６】前記手動式駆動部がレバー式駆動部又はギア式駆動部である、請求項５に記載のバタフライ弁。
【請求項７】前記トップフランジに装着された前記駆動部がアクチュエータを用いた自動式駆動部である、請求項１に記載のバタフライ弁。




【国際調査報告】
2004092625.tif 000011
2004092625.tif 000012
2004092625.tif 000013
2004092625.tif 000014